(57)【要約】【課題】磁気センサがヒス板を介して磁石の磁界（極性変化）を検知する構成において、読み取りエラーのない正確な磁束検出を可能にすること。【解決手段】テープリールを装着するためのリール台を、対向する磁石とヒステリシス板から発生するトルクを利用して制動するリール台制動機構と、上記リール台のヒステリシス板と対向し、上記ヒステリシス板を介して上記磁石の磁界を検知する磁気センサとを、具備し、上記ヒス板における上記磁気センサが対向する部分の板厚を、他の部分よりも薄くした構成とする。【選択図】      図１
2004220657.tif 000002
【特許請求の範囲】
【請求項１】
テープリールを装着するためのリール台を、対向する磁石とヒステリシス板から発生するトルクを利用して制動するリール台制動機構と、
上記リール台のヒステリシス板と対向し、上記ヒステリシス板を介して上記磁石の磁界を検知する磁気センサとを、具備し、
上記ヒステリシス板における上記磁気センサが対向する部分の板厚を、他の部分よりも薄くしたことを特徴とするリール台装置。
【発明の詳細な説明】
【０００１】
【発明の属する技術分野】
本発明は、テープカセット記録再生機器におけるリール台装置に係り、より詳細には、テープリールを装着しテープの早送り、巻戻しなどを行うリール台の回転を検知するための技術に関する。
【０００２】
【従来の技術】
従来のリール台装置の１例を、図４〜図６を用いて説明する。図４は従来のリール台装置の断面図、図５は図４のＢ部拡大図、図６は図４の磁石の着磁状態を示す説明図である。
【０００３】
図４〜図６において、１はシャーシ、２はシャーシ１に植設・固定されたリール軸、３はリール軸２に回転可能に保持されたリール台本体、４は、リール台本体３に対して軸方向に所定量摺動自在に、かつリール台本体３と一体回転するように、リール台本体３に取り付けられたリール羽根、５はリール羽根４に図示上向き方向の偏倚習性を付与するリール羽根スプリング、６はリール台本体３にインサート成形により一体化されたヨーク板、７はヨーク板６に磁力で吸着した磁石（マグネット板）、８はリール軸２に回転可能に保持されたリールギヤ、９はリールギヤ８にインサート成形により一体化されたヒステリシス板（以下、ヒス板と称す）、１０はリール台本体３とリールギヤ８とに挟持されたスラストワッシャ、１１はシャーシ１側に配置されたホール素子よりなるリールセンサ（磁気センサ）である。
【０００４】
リール台装置は、リール台本体組品として、リール台本体３、図示せぬカセットリールの孔に係合するリール羽根４、リール羽根スプリング５、ヨーク板６、磁石７を有し、また、ギア組品として、リールギア８、磁石７と一定の間隙をもって対向しているヒス板９を有したものとなっている。そして、上記のリール台本体組品とギア組品とは、間にスラストワッシャ１０を挟んで、シャーシ１にカシメにより固着されたリール軸２を回転中心として、磁石７とヒス板９との間の磁気吸引力によって、一体回転可能なように結合されている。なお、磁石７は、図６に示すように、Ｎ極、Ｓ極の８極に着磁されている。
【０００５】
また、上記ヒス板９と一定の間隙をもって対向するように、シャーシ１側にはリールセンサ１１が配置されており、リールセンサ１１は、図示せぬリール台回転判別回路に接続されている。このリールセンサ１１は、磁石７が回転することにより変化する極性変化を、ヒス板９を通った漏れ磁束によって検出して、この検出結果をリール台回転判別回路に送出するようになっている。
【０００６】
なお、上述したように、ヒス板と磁石（マグネット板）とを所定間隙をおいて対向させ、両者の間でヒステリシストルクにより回転を伝達する磁気クラッチを用いたリール台装置は公知であり、このような磁気クラッチを用いたリール台装置において、マグネット板に取り付けた薄いヨーク板に対向するように、磁気センサを設けた構成が、例えば特許文献１に記載されている。ただし、この特許文献１に記載されて技術は、磁石からの磁束をヒス板９を通った漏れ磁束によって検出するものではない。
【０００７】
【特許文献１】
特開２０００−２９８８９７号公報
【０００８】
【発明が解決しようとする課題】
しかしながら、上記した図４〜図６に示した従来技術では、磁石７からの磁束Ｍに較べると、ヒス板９から漏れる磁束Ｎ−２は、大幅に小さくなり、このため漏れ磁束をリールセンサ１１で正確に読み取るのが困難となって、読み取りエラーが発生したり、また、読み取った信号を増幅するための増幅回路を、必ず付設しなければならない構成となっていた。
【０００９】
本発明は上記の点に鑑みなされたもので、その目的とするところは、磁気センサ（リールセンサ）がヒス板を介して磁石の磁界（極性変化）を検知する構成において、読み取りエラーのない正確な磁束検出を可能にすることにある。
【００１０】
【課題を解決するための手段】
本発明によるリール台装置は、上記した目的を達成するため、
テープリールを装着するためのリール台を、対向する磁石とヒス板から発生するトルクを利用して制動するリール台制動機構と、
上記リール台のヒス板と対向し、上記ヒス板を介して上記磁石の磁界を検知する磁気センサとを、具備し、
上記ヒス板における上記磁気センサが対向する部分の板厚を、他の部分よりも薄くした、構成とされる。
【００１１】
【発明の実施の形態】
以下、本発明の実施の形態を、図面を用いて説明する。
【００１２】
図１は本発明の一実施形態に係るリール台装置の断面図、図２は図１のＡ部拡大図、図３は図１のヒス板の平面図である。
【００１３】
図１〜図３において、１はシャーシ、２はシャーシ１に植設・固定されたリール軸、３はリール軸２に回転可能に保持されたリール台本体、４は、リール台本体３に対して軸方向に所定量摺動自在に、かつリール台本体３と一体回転するように、リール台本体３に取り付けられたリール羽根、５はリール羽根４に図示上向き方向の偏倚習性を付与するリール羽根スプリング、６はリール台本体３にインサート成形により一体化されたヨーク板、７はヨーク板６に磁力で吸着した磁石（マグネット板）、８はリール軸２に回転可能に保持されたリールギヤ、９はリールギヤ８にインサート成形により一体化されたヒス板（ヒステリシス板）、１０はリール台本体３とリールギヤ８とに挟持されたスラストワッシャ、１１はシャーシ１側に配置されたホール素子よりなるリールセンサ（磁気センサ）である。また、９ａは、回転するヒス板９におけるリールセンサ１１との対向部位に形成した、環状の薄肉部（他の部分よりも板厚の薄い薄板部）である。
【００１４】
本実施形態のリール台装置は、ヒス板９に環状の薄肉部９ａを形成した以外は、図４〜図６に示し先に述べた従来構成と同様である。すなわち、本実施形態のリール台装置においても、リール台装置は、リール台本体組品として、リール台本体３、図示せぬカセットリールの孔に係合するリール羽根４、リール羽根スプリング５、ヨーク板６、磁石７を有し、また、ギア組品として、リールギア８、磁石７と一定の間隙をもって対向しているヒス板９を有したものとなっている。
そして、上記のリール台本体組品とギア組品とは、間にスラストワッシャ１０を挟んで、シャーシ１にカシメにより固着されたリール軸２を回転中心として、磁石７とヒス板９との間の磁気吸引力によって、一体回転可能なように結合されていて、図示せぬリール回転駆動源からの回転が伝達されるリールギヤ８が回転駆動されることにより、リールギヤ８（すなわち、上記ギア組品）と一体となって上記リール台本体組品が回転するようになっている。
【００１５】
本実施形態では、上記したようにヒス板９におけるリールセンサ１１との対向部位は、他の部分より板厚の薄い（ここでは、例えば、ヒス板９の主体部の約半分の板厚とした）、環状の薄肉部９ａとなっているので、ヒス板９からの漏れ磁束は、先に述べた従来技術に較べると大きくなる。すなわち、本実施形態では、磁石７からの磁束Ｍに較べると、ヒス板９の薄肉部９ａから漏れる磁束Ｎ−１は、小さいものの、従来の漏れ磁束Ｎ−２に較べると大きなものとなり、このため、リールセンサ１１で磁束の正確な検出が可能となって、読み取りエラーの発生を可及的に抑止可能となる。また、読み取った信号を増幅するための増幅回路を、場合によっては必要としなくなる。
【００１６】
なお、本発明は、ヒス板９の全体を薄くするのではなく、一部のみを薄くすることが特徴である。すなわち、ヒス板９全体を薄くすると、磁石７とヒス板９との間のヒステリシストルクが大幅に減少するが、ヒス板９の一部しか薄くしていないので、ヒステリシストルクの減少も最小限に抑えられるようになっている。
【００１７】
【発明の効果】
以上のように本発明によれば、磁気センサ（リールセンサ）がヒス板を介して磁石の磁界（極性変化）を検知する構成において、読み取りエラーのない正確な磁束検出が可能となる。また、読み取った信号を増幅するための増幅回路を、場合によっては必要としなくなる。さらに、ヒス板の一部しか薄くしていないので、ヒステリシストルクの減少も最小限に抑えられる。
【図面の簡単な説明】
【図１】本発明の一実施形態に係るリール台装置の断面図である。
【図２】図１のＡ部の拡大図である。
【図３】図１のヒス板の平面図である。
【図４】従来技術によるリール台装置の断面図である。
【図５】図４のＢ部の拡大図である。
【図６】図４の磁石の着磁状態を示す説明図である。
【符号の説明】
１  シャーシ
２  リール軸
３  リール台本体
４  リール羽根
５  リール羽根スプリング
６  ヨーク板
７  磁石（マグネット板）
８  リールギヤ
９  ヒス板（ヒステリシス板）
９ａ  環状の薄肉部
１０  スラストワッシャ
１１  リールセンサ（磁気センサ）
【図１】
2004220657.tif 000003
【図２】
2004220657.tif 000004
【図３】
2004220657.tif 000005
【図４】
2004220657.tif 000006
【図５】
2004220657.tif 000007
【図６】
2004220657.tif 000008